(57)【要約】      （修正有）【課題】バスバーの設置スペースを削減することが可能な接点構造を提供する。【解決手段】照明装置では、スイッチノブの操作に伴い、コンタクトがスライドする。コンタクトは、同一方向に延びた２本の導通部５２ａ，５２ｂと、導通部５２ａ，５２ｂの端部と間隔をあけて端部が存在した固定部５３とを備えている。ハウジングが備えた収容孔２１の一縁部には、導通係合部４１ａ〜４３ａと遮断係合部２２とが形成されている。導通係合部４１ａ〜４３ａは、バスバー４に備えられている。収容孔２１の他縁部には、支持係合部２３が形成されている。コンタクトがスライドすると、固定部５３が係合する支持係合部２３が切り替わり、導通部５２ａ，５２ｂが係合する導通係合部４１ａ〜４３ａ又は遮断係合部２２も切り替わる。【選択図】図６
2012243505.tif 000002
【特許請求の範囲】
【請求項１】
ハウジングに固定されて複数の固定接点を備えたバスバーと、
前記固定接点に導通するコンタクトとを備え、
前記コンタクトは、スイッチノブに固定される本体部と、前記本体部から互いに同一方向に延びて前記固定接点に弾性的に接触する２本の導通部と、前記導通部の端部と間隔をあけて前記本体部から延びて支持係合部に接触し、前記導通部を前記固定接点側に付勢する固定部とを有し、
各前記固定接点は、前記導通部と接触する凹部と前記凹部の両側に形成された凸部とを有し、互いに電気的に離れて固定され、かつ、前記導通部側のみに存在しており、
前記固定部は、前記支持係合部が有する凹凸間を摺動し、
前記導通部は、前記固定部が前記支持係合部の凹部にあるときに前記固定接点の前記凹部と接触することを特徴とする接点構造。
【請求項２】
前記固定部は、２本の前記導通部の間に位置することを特徴とする請求項１に記載の接点構造。
【請求項３】
前記固定接点に接触する前記導通部の付勢力の合計が、前記支持係合部に接触する前記固定部の付勢力と等しいことを特徴とする請求項１又は２に記載の接点構造。
【発明の詳細な説明】
【技術分野】
【０００１】
本発明は、コンタクトとバスバとの接点構造に関する。
【背景技術】
【０００２】
下記の特許文献１に開示された車両用室内照明灯は、機能部に備えられたスイッチレバーがスイッチノブの操作で揺動すると、スイッチレバー側のコンタクトと機能部側とで接続される接点が切り替えられ、車両用室内照明灯がＯＮ・ＯＦＦされる。従来、この種の接点構造では、コンタクトが備える一対の導通部を機能部側の接点が備えた導通係合部に係合させることで、コンタクトが接点に接続されていた。
【先行技術文献】
【特許文献】
【０００３】
【特許文献１】特開２００５−３２９８８４号公報
【発明の概要】
【発明が解決しようとする課題】
【０００４】
この種の接点構造では、接点への接続に用いる２本の導通部でコンタクトが支持されていたことから、コンタクトの両側に接点を配置する必要があり、コンタクトの姿勢も安定しなかった。
【０００５】
本発明は斯かる課題に鑑みてなされたもので、上記課題を解決することができる接点構造を提供することを目的とする。
【課題を解決するための手段】
【０００６】
このような目的を達成するために、請求項１に記載の発明は、ハウジングに固定されて複数の固定接点を備えたバスバーと、前記固定接点に導通するコンタクトとを備え、前記コンタクトは、スイッチノブに固定される本体部と、前記本体部から互いに同一方向に延びて前記固定接点に弾性的に接触する２本の導通部と、前記導通部の端部と間隔をあけて前記本体部から延びて支持係合部に接触し、前記導通部を前記固定接点側に付勢する固定部とを有し、各前記固定接点が、前記導通部と接触する凹部と前記凹部の両側に形成された凸部とを有し、互いに電気的に離れて固定され、かつ、前記導通部側のみに存在しており、前記固定部が、前記支持係合部が有する凹凸間を摺動し、前記導通部が、前記固定部が前記支持係合部の凹部にあるときに前記固定接点の前記凹部と接触することを特徴とする。
また、請求項２に記載の発明は、前記固定部が、２本の前記導通部の間に位置することを特徴とする。
また、請求項３に記載の発明は、前記固定接点に接触する前記導通部の付勢力の合計が、前記支持係合部に接触する前記固定部の付勢力と等しいことを特徴とする。
【発明の効果】
【０００７】
請求項１に記載の発明によれば、導通部と固定部とでコンタクトが支持され、固定部側には固定接点を設けずに済むことから、バスバーの設置スペースを削減できる。しかも、固定接点や支持係合部の凹凸の形状を変えるだけで、コンタクトを操作する際のスイッチフィーリング（クリック感）を変更できる。
請求項２に記載の発明によれば、コンタクトに捩れが生じないため、接点の切替動作を安定させられる。
請求項３に記載の発明によれば、導通部及び固定部の接触のバランスを良くすることができる。
【図面の簡単な説明】
【０００８】
【図１】本発明の一実施形態の照明装置を示す表面斜視図である。
【図２】図１に示す照明装置の裏面斜視図である。
【図３】図２に示すスイッチノブの裏面斜視図である。
【図４】図３に示すコンタクトの斜視図である。
【図５】図１に示すハウジングの底面図である。
【図６】図１に示すハウジングの底面図である。
【図７】図１に示すハウジングの底面図である。
【図８】図１に示すハウジングの底面図である。
【発明を実施するための形態】
【０００９】
以下、図面を参照して、本発明の一実施形態を説明する。
【００１０】
図１に示すように、照明装置１は、ハウジング２の表面にスイッチノブ３（３ａ〜３ｃ）を備えている。ハウジング２の裏側には、図２に示すように、電気的接続用のバスバー４が固定されている。また、ハウジング２の裏側には、収容孔２１が開口している。
【００１１】
スイッチノブ３は、ハウジング２の長手方向に揺動自在に支持されている。スイッチノブ３の裏側からは、図３に示すように、一対の被固定部３１が延びており、被固定部３１にはコンタクト５が固定されている。被固定部３１は、スイッチノブ３の長手方向に並んで設けられている。被固定部３１の長手方向の内側を向いた−側壁には、図４に示すように、スリットを設けて嵌合部３２が形成されている。被固定部３１の長手方向の外側を向いた−側壁の内面には、スリットと対向する位置に係止突起３３が形成されている。
【００１２】
コンタクト５は、本体部５１から延びた２本の導通部５２ａ，５２ｂと、１本の固定部５３とを備えている。本体部５１は、長手方向の端部に設けられた係止突起５４と、長手方向の端面に設けられた係止片５５とを備えている。導通部５２ａ，５２ｂは、本体部５１の一主面側に延びた後、他主面側に屈曲しており、先端部が断面Ｕ字状を呈している。固定部５３は、本体部５１の他主面側に延びた後、一主面側に屈曲しており、先端部が断面Ｕ字状を呈している。固定部５３の先端部と導通部５２ａ，５２ｂの先端部との間隔は、収容孔２１の一縁部と他縁部との間の間隔Ｌ（図６参照）よりも広くなっている。コンタクト５は、係止突起５４が嵌合部３２に係止され、係止片５５が係止突起３３に係止されることで、被固定部３１に固定される。
【００１３】
コンタクト５は、図５に示すように、導通部５２ａ，５２ｂ及び固定部５３が収容孔２１の内側に撓むことで収容孔２１内に収容され、収容孔２１の裏側の開口部に導通部５２ａ，５２ｂ及び固定部５３を位置させる。
【００１４】
図６は、ハウジング２を示す底面図であり、中央に位置した収容孔２１の裏側の開口部の周縁部が拡大して示されている。収容孔２１の一縁部には、図６に示すように、遮断係合部２２が設けられている。また、収容孔２１の他縁部には、３つの支持係合部２３が設けられている。遮断係合部２２及び支持係合部２３は、何れも凹部の両側に凸部を設けた凹凸形状を有している。
【００１５】
収容孔２１の一縁部には、バスバー４の固定接点４１〜４３が配置されている。固定接点４１〜４３が備える導通係合部４１ａ〜４３ａは、凹部の両側に凸部を設けた凹凸形状を有しており、収容孔２１の一縁部に沿って遮断係合部２２と並んで配置されている。導通係合部４１ａ〜４３ａは、互いに電気的に離れて固定されている。
【００１６】
導通部５２ａ，５２ｂは、収容孔２１の一縁部に沿って配置された導通係合部４１ａ〜４３ａ，遮断係合部２２の何れかに弾接している。また、固定部５３は、収容孔２１の他縁部に沿って配置された３つの支持係合部２３の何れかに弾接している。バスバー４に接触する２本の導通部５２ａ，５２ｂの付勢力の合計は、ハウジング２に接触する固定部５３の付勢力と等しくなっている。
【００１７】
スイッチノブ３が長手方向に傾動操作されて揺動すると、導通部５２ａ，５２ｂ及び固定部５３は、スイッチノブ３とは逆方向に移動する。これに伴い、導通部５２ａ，５２ｂ及び固定部５３は、固定接点４１〜４３又は収容孔２１の周縁に弾接しながらスライドする。その際、導通部５２ａ，５２ｂは、操作方向と逆側に位置した導通係合部４１ａ〜４３ａ，遮断係合部２２に切り替えて係合する。また、固定部５３は、操作方向と逆側に位置した支持係合部２３に切り替えて係合する。
【００１８】
例えば、スイッチノブ３が傾動操作で一方に傾いた状態では、図６に示すように、導通部５２ａが導通係合部４１ａに、固定部５３が支持係合部２３に、導通部５２ｂが導通係合部４２ａにそれぞれ弾接している。導通部５２ａが導通係合部４１ａに、導通部５２ｂが導通係合部４２ａにそれぞれ弾接することで、固定接点４１と固定接点４２とが接続され、ＯＮモードの照明が行われる。
【００１９】
スイッチノブ３が他方に傾動操作されると、図７に示すように、導通部５２ａが導通係合部４１ａに、固定部５３が支持係合部２３に、導通部５２ｂが導通係合部４３ａにそれぞれ弾接する。導通部５２ａが導通係合部４１ａに、導通部５２ｂが導通係合部４３ａにそれぞれ弾接することで、固定接点４１と固定接点４３とが接続され、ＤＯＯＲモードの照明が行われる。
【００２０】
スイッチノブ３が更に傾動操作されて他方に傾くと、図８に示すように、導通部５２ａが導通係合部４２ａに、固定部５３が支持係合部２３に、導通部５２ｂが遮断係合部２２にそれぞれ弾接する。導通部５２ａが導通係合部４２ａに、導通部５２ｂが遮断係合部２２にそれぞれ弾接することで、固定接点４１〜４３同士が接続されない状態となり、照明が行われないＯＦＦモードとなる。
【００２１】
本実施形態によれば、同一方向に延びた２本の導通部５２ａ，５２ｂと導通部５２ａ，５２ｂの端部と間隔をあけて端部が存在した固定部５３とでコンタクト５が弾性支持されることから、コンタクト５の両側に導通係合部を設けずに済み、固定接点の設置スペースを削減できる。このため、収容孔２１の他縁部にも固定接点を設ける場合に比べ、収容孔２１の一縁部と他縁部との間の間隔Ｌ（図６参照）だけバスバー４の設置スペースを削減できる。従って、バスバー４の小型化及び軽量化を図れる。しかも、固定接点４１〜４３や支持係合部２３の凹凸の形状を変えるだけで、コンタクト５を操作する際のスイッチフィーリング（クリック感）を変更できる。
【００２２】
また、本実施形態によれば、２本の導通部５２ａ，５２ｂの間に固定部５３が位置するので、コンタクト５が捻れるのを防止して、固定接点４１〜４３の切替動作を安定させられる。
【００２３】
また、本実施形態によれば、固定接点４１〜４３に接触する導通部５２ａ，５２ｂの付勢力の合計が、支持係合部２３に接触する固定部５３の付勢力と等しいので、導通部５２ａ，５２ｂ及び固定部５３の接触のバランスを良くすることができる。
【００２４】
また、本実施形態によれば、固定部５３をバスバー４ではなくハウジング２の支持係合部２３に弾接させれば済むことから、固定部５３を導通部５２ａ，５２ｂよりも短くして固定部５３が収容孔２１の裏側の開口部から突出しない構成とすることができ、作業者の手等と接触することによる変形を防止することが出来る。
【００２５】
また、本実施形態によれば、コンタクト５に導通部５２ａ，５２ｂ及び固定部５３を設け、これらの導通部５２ａ，５２ｂ及び固定部５３の係合部をハウジング２及びバスバー４に設けるという簡単な構成で、スイッチノブ３の操作の際にスイッチフィーリングを与えられる。このため、照明装置１の部品点数を削減してコストダウンを図ることが出来る。
【００２６】
なお、上記実施形態では、収容孔２１の一縁部に１つの遮断係合部２２が備えられている場合について説明したが、遮断係合部２２を複数備え、各遮断係合部２２に導通係合部４１ａ〜４３ａが配置される構成としてもよい。
【００２７】
また、コンタクト５が備える導通部５２ａ，５２ｂ、及び、固定部５３は上記実施形態での構成に限定されない。また、導通係合部４１ａ〜４３ａ、遮断係合部２２、及び、支持係合部２３の形状も、導通部５２ａ，５２ｂや固定部５３と係合するのであれば任意であり、バスバー４や収容孔２１に突起を設ける等して構成してもよい。
【符号の説明】
【００２８】
１                                    照明装置
２                                    ハウジング
２１                                  収容孔
２２                                  遮断係合部
２３                                  支持係合部
３，３ａ〜３ｃ                        スイッチノブ（被固定部）
３１                                  被固定部
３２                                  嵌合部
３３                                  係止突起
４                                    バスバー
４１〜４３                            固定接点
４１ａ〜４３ａ                        導通係合部
５                                    コンタクト
５１                                  本体部
５２ａ，５２ｂ                        導通部
５３                                  固定部
５４                                  係止突起
５５                                  係止片
【図１】
2012243505.tif 000003
【図２】
2012243505.tif 000004
【図３】
2012243505.tif 000005
【図４】
2012243505.tif 000006
【図５】
2012243505.tif 000007
【図６】
2012243505.tif 000008
【図７】
2012243505.tif 000009
【図８】
2012243505.tif 000010